(57)【特許請求の範囲】
【請求項１】
連結杆部と連結杆部の左右両端部から下方に延設して床面に接地する固定側脚杆部とからなる固定フレームと、前記固定側脚杆部の前方に延設した手摺杆部と手摺杆部の下方に延設して床面に接地する手摺側脚杆部とからなる手摺フレームとにより構成される手摺本体に、前記手摺本体を便器本体から後方へ水タンクを出っ張らせた便器に対して位置固定する固定手段を備えたトイレ用手摺装置において、固定手段は、端部に長さ調整可能かつ着脱可能とする連結具を備えた締結バンドであり、締結バンドは、左右の固定側脚杆部の上部間又は連結杆部の左右両側に架け渡し、水タンクの底面に掛け回して締め込むことにより、水タンクの前面に当接する連結杆部と締結バンドとで便器を挟持することを特徴とするトイレ用手摺装置。
【請求項２】
固定手段は、手摺本体の背面側の上部と下部とに架け渡した締結バンドであり、上部の締結バンドは、左右の固定側脚杆部の上部間又は連結杆部の左右両側に架け渡し、水タンクの底面に掛け回して締め込むことにより、水タンクの前面に当接する連結杆部と上部の締結バンドとで便器を挟持し、下部の連結バンドは、左右の固定側脚杆部の下部間に架け渡し、便器本体の裏面に掛け回して締め込むことにより、手摺本体にテンションを掛けてガタを抑制する請求項１記載のトイレ用手摺装置。
【請求項３】
上部及び下部の締結バンドは、左右中間位置を水タンクの底面で上下に束ねて連結してなる請求項２記載のトイレ用手摺装置。
【請求項４】
締結バンドは、長短一対のベルト体の一方に連結具のオス部材を取付け、前記ベルト体の他方にメス部材を取付け、前記連結具のオス部材及びメス部材の係脱により着脱可能に構成してなる請求項１〜３いずれか記載のトイレ用手摺装置。
【発明の詳細な説明】
【０００１】
【発明の属する技術分野】
本発明は、洋式便器を利用する際の着座及び起立動作を補助するとともに座位姿勢の保持を行うためのトイレ用手摺装置に関する。
【０００２】
【従来の技術】
トイレ用手摺装置は、身体不自由者にとって不可欠なものである。初期の頃のこの種装置は、便器の周辺に比較的簡単に取付けられる簡便なものであり、例えば、キャスター付の肘掛けを水タンクの前面へ吸盤等で取付けるものが、実開平03-007796号にみられる。
【０００３】
しかし、一般に従来のトイレ用手摺装置にあっては、特に着座及び起立動作時において補助手摺として安心して使用できなければならないから、床や壁に直接ネジ止め固定して据付けるものが普及していた。この種の装置は、専門業者による施工が必要なため費用がかさむし、床や壁の構造によってはネジの打ち込みが困難で取付けできない場合もある。また、手摺装置が不要になって取外した場合、床や壁にネジ止め跡が残るため補修が必要となる。
【０００４】
そこで、床や壁に直接ネジ止めすることなく、かつ便器に対して安定して据付けできるように、左右のフレームの下方に挟圧部材を取付け、先端を便器に圧接することにより固定するもの（例えば、実開平05-023997号、実開平07-020997号、特開平10-0201673号、特開平11-169321号）や、前後方向に水平に延びる左右の足部の後先端部に螺合したネジ先端部のパッドを便器側壁に当接させて足部を便器側壁に固定するとともに、左右の縦フレーム上端部の押圧桿先端部のパッドを便器側壁へ当接させて縦フレームを便器側壁に固定するもの（例えば、特許第3163492号）が提案されている。
【０００５】
【発明が解決しようとする課題】
これら例示するような、挟圧部材を便器に圧接して固定するものにおいては、便器の彎曲した外表面がメーカーや便器の種類によってまちまちであるから、挟圧部材による挟圧位置の微調整が必要となる。この作業は面倒な上に装置が高価とならざるを得ないし、なおかつ、安定した固定状態が得られないことがある。
【０００６】
ネジや押圧桿先端部のパッドを便器側方の壁へ当接させて固定するものにおいては、近くに壁がない便器には固定できないし、壁の構造によっては補強工事等専門業者に依頼しなければならないこともある。更には、トイレの床や壁を掃除する際に手摺装置の出っ張ったネジや押圧桿が邪魔となる。
【０００７】
本発明は、水タンク一体型の洋式便器が広く普及していることに注目し、この水タンク一体型の洋式便器のような支持体があれば、便器の外表面や便器の側方の壁構造に関係なくほとんどの種類の便器に簡単かつしっかりと固定できるトイレ用手摺装置を安価に提供することを目的とする。
【０００８】
【課題を解決するための手段】
そこで、トイレ用手摺装置の構成として、連結杆部と連結杆部の左右両端部から下方に延設して床面に接地する固定側脚杆部とからなる固定フレームと、前記固定側脚杆部の前方に延設した手摺杆部と手摺杆部の下方に延設して床面に接地する手摺側脚杆部を有する手摺フレームとから構成される手摺本体に、前記手摺本体を便器本体から後方へ水タンクを出っ張らせた便器に対して位置固定する固定手段を備えたトイレ用手摺装置において、固定手段は、端部に長さ調整可能かつ着脱可能とする連結具を備えた締結バンドであり、締結バンドは、左右の固定側脚杆部の上部間又は連結杆部の左右両側に架け渡し、水タンクの底面に掛け回して締め込むことにより、水タンクの前面に当接する連結杆部と締結バンドとで便器を挟持する構造とした。好ましい固定手段は、手摺本体の背面側の上部と下部とに架け渡した締結バンドであり、上部の締結バンドは、左右の固定側脚杆部の上部間又は連結杆部の左右両側に架け渡し、水タンクの底面に掛け回して締め込むことにより、水タンクの前面に当接する連結杆部と上部の締結バンドとで便器を挟持し、下部の連結バンドは、左右の固定側脚杆部の下部間に架け渡し、便器本体の裏面に掛け回して締め込むことにより、手摺本体にテンションを掛けてガタを抑制するとよい。この場合、上部及び下部の締結バンドは、左右中間位置を水タンクの底面で上下に束ねて連結するとよい。また、各締結バンドは、長短一対のベルト体の一方に連結具のオス部材を取付け、前記ベルト体の他方にメス部材を取付け、前記連結具のオス部材及びメス部材の係脱により着脱可能に構成するとよい。
【０００９】
手摺本体は、固定フレームと手摺フレームからなるフレーム構造体であって、このフレーム構造体は、連結杆部と連結杆部の左右両端部から下方に延設して床面に接地する固定側脚杆部を有する固定フレームと、固定側脚杆部の前方に水平回動可能に軸支して上部に水平な手摺杆部と手摺杆部の下方に延設して床面に接地する手摺側脚杆部を有する手摺フレームとで構成する。手摺フレームは、固定フレームの固定側脚杆部に高さ調整可能に軸支する構成にすれば、使い勝手のよい位置に手摺りを安定して設置できる。具体的には、手摺フレームには、床に接地して長さ調整可能に手摺杆部を支持する手摺側脚杆部と、固定フレームの固定側脚杆部に回動可能に外挿する軸着杆部を設け、軸着杆部の上下には、高さ位置変更可能に固定フレームの固定側脚杆部に外挿固定する筒状の固定具を設けたトイレ用手摺装置が例示できる。更に、このとき、手摺フレームが、固定フレームの一方の固定側脚杆部を中心に手摺フレームの一方を固定フレームの前面に、固定フレームの他方の固定側脚杆部を中心に手摺フレームの他方を固定フレームの後面にそれぞれ回動して折り畳み可能に構成し、締結部材の一端側を折り畳み状態にある前面側の手摺フレームの前面に、締結部材の他端側を後面側の手摺フレームの後面に当接して折り畳み保持すれば、コンパクトになる上、その折り畳み状態が保持できるから、運搬や保管に際して利便性が高い。
【００１０】
【発明の実施の形態】
以下、図面に基づいて、本発明のトイレ用手摺装置(以下「本装置」という)の具体的実施態様例につき説明する。まず、図１、２に示す本装置は、水タンク一体型の便器１に取付けて使用するものであり、この便器１は便器本体11の上面に設けた便座12と便蓋13の後方に水タンク14を備えたものが一般的である。そして、本装置の構成は、この水タンク14の前面に設置する固定フレーム２と、固定フレーム２の左右両側から前方へ延設した左右の手摺フレーム３とからなる手摺本体と、便器１の背面を通って固定フレーム２の左右両端部間に長さ調整可能かつ着脱可能に架け渡した締結バンド４とからなる。
【００１１】
固定フレーム２は、金属製パイプを門型に曲げ加工することにより、便器本体11の両側に立設する左右の固定側脚杆部21とこれらの上部を連結して水タンク14の前面に当接する連結杆部22を形成している。固定側脚杆部21の下端には、床との緩衝及び滑り止めのための軟質樹脂製キャップからなる接地体23を装着している。連結杆部22の幅方向中間部には、軟質樹脂又は樹脂発泡体からなり水タンク14との緩衝のために設けた緩衝体24が連結杆部22の外周面を覆った状態に装着されている。
【００１２】
手摺フレーム３は、金属製パイプをコ字状に折り曲げて、固定フレーム２の固定側脚杆部21に沿って上下方向に延設する垂直杆部31と、その上端及び下端をそれぞれ前方へコ字状に折り曲げて水平に延設した手摺杆部32及び補強杆部33とを形成し、その前方に上下方向に延設し、下端が床面に接地する手摺側脚杆部34を手摺杆部32の下面と補強杆部33の前端に固着して、全体として略方形に形成している。
【００１３】
手摺側脚杆部34の下端には、先端に軟質樹脂製キャップからなる接地体35を装着した筒状の伸縮杆部36が内挿されて、伸縮可能となっている。その詳細な構造は、図５に示すように、手摺側脚杆部34の径方向に貫通形成したボルト挿通孔38と伸縮杆部36の径方向に貫通形成した複数の高さ調節孔301の中の１つとに、蝶ボルトからなる固定ボルト５を貫通させ、先端に袋ナットからなる固定ナット６を螺合して相互に回転不能かつ上下移動不能に固定している。また、図１から図３にみられるように、手摺杆部32の上面には、樹脂や木質系の材料で成形した肘掛け部材39を前方寄りに取付け、手摺り以外にも、使用者が便器１に腰掛けた際に肘掛けとしても使用できるようになっている。
【００１４】
手摺フレーム３の固定フレーム２への取付けであるが、本例では、手摺フレーム３の垂直杆部31に沿って金属製パイプからなる軸着杆部30が添着されており、これを固定フレーム２の固定側脚杆部21に外挿させることで、固定側脚杆部21を中心に手摺フレーム３が水平回動自在となるようにしている。詳細は図６に示すように、軸着杆部30の上下端には、固定側脚杆部21の外周面に摺接する内径を有した樹脂製のカラー部材37が自身の外周面から突出する係合爪302を軸着杆部30に設けた係合孔303に係合させることで抜出不能に取付けられ、手摺フレーム３の水平回動が円滑に行えるようにしている。
【００１５】
そして、手摺フレーム３の軸着杆部30の上下位置には、固定フレーム２の固定側脚杆部21に筒状の固定具７を外挿固定して軸着杆部30の高さ位置を規制するようにしているが、固定具７の径方向に貫通形成したボルト挿通孔71と固定側脚杆部21の径方向に貫通形成した高さ調節孔25とに、固定ボルト５を貫通させ、先端に固定ナット６を螺合させることで、固定具７を固定側脚杆部21に対して回転不能かつ上下移動不能に固定できるようにしている。
【００１６】
高さ調節孔25は、一つの固定具７に対し、上下に25ｍｍ間隔で４箇所ずつ設けてあり、固定ボルト５を緩めて引き抜いた状態で固定具７を移動させて他の高さ調節孔25に合わせ、再度固定ボルト５を挿通して固定することにより、手摺フレーム３の高さ位置を、約60〜70ｃｍの範囲で使用者の体格に合わせて４段階に調節できるようにしている。したがって、図５に示すように手摺フレーム３の伸縮杆部36が手摺側脚杆部34中に存在する位置にも複数の高さ調節孔301を設けておいて、伸縮杆部36を上下することで前脚の長さを調節することにより、手摺フレーム３の水平を保持できるようにしている。
【００１７】
図２中に示す締結バンド４は、固定フレーム２の左右固定側脚杆部21間に長さ調整可能かつ着脱可能に架け渡された締結バンドであり、本例では、この左右固定側脚杆部21のそれぞれ上下に設けた４箇所の固定具７間に上同士、下同士各々架け渡して２本の上部及び下部の締結バンド47、48を設けている。この上部及び下部の締結バンド47、48は、樹脂系の織テープ等からなる長短一対のベルト体41の一端を環状に形成し、図３中に示す左右の固定具７の背面に設けた固定環部72にそれぞれ取付け、ベルト体41の長い方他端に樹脂製バックルからなる連結具42のオス部材43を取付け、ベルト体41の短い方他端にメス部材44を取付け、連結具42の係脱によりワンタッチで着脱可能に構成している。このとき、ベルト体41の短い方はメス部材44に対して長さ調節可能に取付け、便器１のサイズや形状に合わせて固く締付けできるようにしている。ベルト体41を長短一対としたのは、連結具42の操作を便器１の前方から行うために、便器１の背面に隠れてしまわないようにするためである。また、本例では、上部及び下部の締結バンド47、48を平筒状の束ね具45内に挿通して便器１の背面側で一まとめに束ねるようにし、締付け性と取扱い性を向上させている。締結状態の詳細は図３、４に示すところである。
【００１８】
このように、締結バンド４は、簡単な操作で着脱でき、長さを調節して締付け可能であればよいから、その構造や材質として様々なものがある。例えば、締結バンドは、一本の長いベルト体の先端が反対側の固定具７に直接係脱自在なフック式の連結具で長さ調節可能に取付けたものや、一方のベルト体の先端に、反対側の固定具７に取付けられて多数の係止爪を表面に形成した反対側のベルト体を挿入してワンタッチで係合及び係合解除可能な係合機構を備えた連結具を取付けたもの、更には、ベルト体に面ファスナーを用いるといった実施態様である。
【００１９】
以上のような本装置を便器１へ取付けるには、まず、図１〜図３に示すように、固定フレーム２の固定側脚杆部21を便器本体11の左右両側に位置させるとともに、連結杆部22を水タンク14の前面に当接させた状態に配置する。このとき、上部及び下部の締結バンド47、48の連結具42を外しておく。次に、それぞれベルト体41の長い方を便器本体11の裏面側から反対側へ通す。そして、必要があればベルト体41の短い方の長さをおおよそ調節してから上部の締結バンド47の連結具42を係合させ、更にベルト体41の短い方の長さを調節して締込む。上部の締結バンド47を掛け回す位置は便器１の形状によって若干異なるが、通常、水タンク14の底面は便器本体11から後方へ出っ張っているので、この部分に引っ掛けるようにすれば確実である。こうして上部の締結バンド47を締込むと、上部の締結バンド47と連結杆部22とで便器１を挟持してトイレ用手摺装置の移動が規制されることになる。図３及び図４に本装置の締結状態を示す。本例のように、上部の締結バンド47を斜め下方に掛け回すようにすれば、固定フレーム２が床へ押し付けられるから、トイレ用手摺装置の上下方向の移動を強力に規制する効果が得られる。
【００２０】
続いて、下部の締結バンド48の締付け操作を上部の締結バンド47と同様に行えば、より確実で強固な本装置の取付けが可能となる。何かの拍子で手摺杆部32の先端に上向きの力が作用すると、上部の締結バンド47に僅かな伸びやずれ、あるいは、固定フレーム２の変形等により若干ガタが生じることがある。実用上問題ないが、下部の締結バンド48によって固定フレーム２の下部にもテンションを掛けてやることで、ガタが抑制できるから、コスト比率の高い主材料となる金属製パイプの肉厚を下げる等しても快適なトイレ用手摺装置とすることができる。更に、本例では、上部及び下部の締結バンド47、48を束ね具45によって集束させているので、上部の締結バンド47に対して更なるテンションを与えることになるから、上部及び下部の締結バンド47、48の伸びや遊びが互いに吸収されてより確実で強固な取付け状態にできる。したがって、下部の締結バンド48は、上部の締結バンド47の締付けによって十分な固定力が得られる場合は、必ずしも必要としない。
【００２１】
一方、本例の場合は、図７中矢印で示すように手摺フレーム３が水平回動自在であるから、トイレのレイアウトの都合上、使用者が便器１の側方から移乗する場合や介助者が介助する場合に、邪魔にならない位置に回動させることや、使用者が手摺りや肘掛けとして最適な位置に回動させて使用することができる。手摺りや肘掛けとして使用する際に、手摺フレーム３に使用者の体重が掛かかると、手摺側脚杆部34の下端が床に接地してしっかり支えるとともに、下端に装着された接地体35に大きな摩擦抵抗が生じて横滑りを防ぐから、安心して使用できる。
【００２２】
更には、図８に示すように、本装置を取外した際に手摺フレーム３を回動させ折り畳むこともできる。この場合、一方の固定側脚杆部21を中心に手摺フレーム３の一方を固定フレーム２の前面に、他方の固定側脚杆部21を中心に手摺フレーム３の他方を固定フレーム２の後面にそれぞれ回動させるだけでよい。そして、締結バンド４を用いてこの折り畳み状態を保持することも可能である。この場合、連結具42を外した状態の上部及び下部の締結バンド47、48を、折り畳み状態にある後面側の手摺フレーム３における手摺側脚杆部34の後面側を通過させた後、前面側の手摺フレーム３における手摺側脚杆部34の前面側を通過させて、連結具42を係合させて締付ければよい。こうすると、締結バンド４が各手摺フレーム３の手摺側脚杆部34  の前面及び後面側に当接して手摺フレーム３の回動が規制される。
【００２３】
図９及び図１０に他の締結バンドの態様を備えた本装置の実施例を示す。本例の締結バンド40も、固定フレーム２の上下２箇所に上部及び下部の締結バンド47、48を、水タンク14の底面付近と便器本体11の下部を通ってそれぞれ独立した状態で配置している。前記した例に比べ、上部及び下部の締結バンド47、48がそれぞれ連結具49のみで締結できるので束ね具45が省略できることに加え、下部の締結バンド48の長さを短く設定できるから、より安価なものとなる。加えて、上部の締結バンド47は、リング状に形成した基端を固定フレーム２の連結杆部22の左右両側にそれぞれ通して取付けているため、便器１の種類に応じて左右位置をずらして締付けでき、手摺本体の左右位置をより強力に規制することができる。
【００２４】
【発明の効果】
本装置によれば、締結バンドを締付けるだけで、ほとんどの水タンク一体型の便器に設置できるので、専門業者や工具を一切必要とせず、作業が簡単かつ確実である。したがって、従来、設置が困難であったタイル床等であっても簡単に設置できる。しかも、トイレの床や壁の内装を傷付けないし、掃除の際には、締結バンドを外すだけで簡単に手摺装置を取外すことができる。
【００２５】
そして、手摺フレームを水平回動可能なものにすれば、邪魔にならない位置に楽に移動できるし、手摺りや肘掛けとして使い勝手のよい位置へ楽に移動させることができる。更には、コンパクトに折り畳むことができるから、持ち運びし易く保管スペースも小さくてすむ。しかも、締結バンドを利用して折り畳み状態を保持することもできるから、わざわざ紐で縛る等する必要がなく取扱い性に優れる。
【図面の簡単な説明】
【図１】本装置の設置状態を示す斜視図である。
【図２】本装置の斜視図である。
【図３】本装置の設置状態を示す側面図である。
【図４】本装置の設置状態を示す背面図である。
【図５】図３中Ａ−Ａ断面拡大図である。
【図６】図３中Ｂ−Ｂ断面拡大図である。
【図７】本装置の設置状態を示す平面図である。
【図８】本装置の折り畳み状態を示す斜視図である。
【図９】他の本装置の他の設置状態を示す側面図である。
【図10】他の本装置の他の設置状態を示す背面図である。
【符号の説明】
１  便器
11  便器本体
12  便座
13  便蓋
14  水タンク
２  固定フレーム
21  固定側脚杆部
22  連結杆部
23  接地体
24  緩衝体
25  高さ調節孔
３  手摺フレーム
30  軸着杆部
31  垂直杆部
32  手摺杆部
33  補強杆部
34  手摺側脚杆部
35  接地体
36  伸縮杆部
37  カラー部材
38  ボルト挿通孔
39  肘掛け部材
301  高さ調節孔
302  係合爪
303  係合孔
４  締結バンド
40  締結バンド
41  ベルト体
42  連結具
43  オス部材
44  メス部材
45  束ね具
47  上部の締結バンド
48  下部の締結バンド
49  連結具
５  固定ボルト
６  固定ナット
７  固定具
71  ボルト挿通孔
72  固定環部
【図１】
0004137477.tif 000002
【図２】
0004137477.tif 000003
【図３】
0004137477.tif 000004
【図４】
0004137477.tif 000005
【図５】
0004137477.tif 000006
【図６】
0004137477.tif 000007
【図７】
0004137477.tif 000008
【図８】
0004137477.tif 000009
【図９】
0004137477.tif 000010
【図１０】
0004137477.tif 000011